(57)【特許請求の範囲】
【請求項１】
ＬＥＤチップと、前記ＬＥＤチップが実装された実装基板と、前記ＬＥＤチップから放射される光によって励起されて前記ＬＥＤチップよりも長波長の光を放射する蛍光体を含有した透光性材料からなり前記ＬＥＤチップの一表面側に形成された色変換層とを備えた発光装置であって、前記ＬＥＤチップの前記一表面側に当該ＬＥＤチップの外周線の全周に沿った枠状の電極が形成され、当該枠状の電極に囲まれた領域に前記色変換層が形成され、前記色変換層は、封止部により覆われていることを特徴とする発光装置。
【請求項２】
前記ＬＥＤチップは、前記一表面側において前記枠状の電極で囲まれた領域を複数の小領域に等分割する仕切壁が前記枠状の電極に連続一体に形成され、前記色変換層が、前記小領域ごとに前記ＬＥＤチップの前記一表面側に形成されてなることを特徴とする請求項１記載の発光装置。
【請求項３】
前記枠状の電極と前記実装基板に形成された配線パターンとを接続するボンディングワイヤが、前記封止部により覆われていることを特徴とする請求項１又は２記載の発光装置。
【発明の詳細な説明】
【技術分野】
【０００１】
本発明は、ＬＥＤチップ（発光ダイオードチップ）を利用した発光装置に関するものである。
【背景技術】
【０００２】
従来から、ＬＥＤチップと、ＬＥＤチップから放射された光によって励起されてＬＥＤチップとは異なる発光色の光を放射する蛍光体および透光性材料からなる色変換層とを組み合わせ所望の混色光（例えば、白色光）を得るようにした発光素子や当該発光素子を備えた発光装置の研究開発が各所で行われている（例えば、特許文献１，２，３参照）。
【０００３】
ここにおいて、上記特許文献１，２には、ＬＥＤチップの一表面側にインクジェット法により色変換層を形成する技術が記載されている。
【０００４】
また、上記特許文献３には、基板上にＬＥＤチップおよび当該ＬＥＤチップを囲む枠状の堰部を設け、堰部で囲まれた領域内に蛍光体を含有した透光性材料を充填して封止部を形成してなる発光装置が記載されている。
【特許文献１】特開２００３−４６１２４号公報
【特許文献２】特開２００６−８６１９１号公報
【特許文献３】特開２００５−９３６０１号公報
【発明の開示】
【発明が解決しようとする課題】
【０００５】
ところで、上記特許文献１，２に開示された発光素子では、インクジェット法によりＬＥＤチップ上に色変換層を直接形成しているので、ＬＥＤチップの一表面に電極が形成されている場合でも、所望の領域に色変換層を形成することができるという利点があるが、色変換層を薄膜化した場合に表面が荒れてしまい色むらの原因になるという問題があった。
【０００６】
また、上記特許文献３に開示された発光装置では、基板上におけるＬＥＤチップの実装高さと堰部の実装高さとの差によってＬＥＤチップ上の色変換層の厚み寸法が決まるので、色変換層の厚み寸法のばらつきが大きくなってしまう。
【０００７】
本発明は上記事由に鑑みて為されたものであり、その目的は、色変換層の薄膜化を図りつつ色むらを低減可能な発光装置を提供することにある。
【課題を解決するための手段】
【０００８】
請求項１の発明は、ＬＥＤチップと、前記ＬＥＤチップが実装された実装基板と、前記ＬＥＤチップから放射される光によって励起されて前記ＬＥＤチップよりも長波長の光を放射する蛍光体を含有した透光性材料からなり前記ＬＥＤチップの一表面側に形成された色変換層とを備えた発光装置であって、前記ＬＥＤチップの前記一表面側に当該ＬＥＤチップの外周線の全周に沿った枠状の電極が形成され、当該枠状の電極に囲まれた領域に前記色変換層が形成され、前記色変換層は、封止部により覆われていることを特徴とする。
【０００９】
この発明によれば、ＬＥＤチップの一表面側に当該ＬＥＤチップの外周線の全周に沿った枠状の電極が形成され、当該枠状の電極に囲まれた領域において色変換層が前記ＬＥＤチップの前記一表面側に形成されているので、前記枠状の電極に囲まれた領域に蛍光体を含有した適量の透光性材料を塗布することにより前記色変換層を形成するような製造プロセスを採用することが可能となり、前記色変換層の薄膜化を図りつつ前記色変換層の表面荒れを抑制することができて色むらを低減可能になる。
【００１０】
請求項２の発明は、請求項１の発明において、前記ＬＥＤチップは、前記一表面側において前記枠状の電極で囲まれた領域を複数の小領域に等分割する仕切壁が前記枠状の電極に連続一体に形成され、前記色変換層が、前記小領域ごとに前記ＬＥＤチップの前記一表面側に形成されてなることを特徴とする。
【００１１】
この発明によれば、前記色変換層の表面荒れをより抑制することが可能になる。
【発明の効果】
【００１２】
請求項１の発明では、色変換層の薄膜化を図りつつ色むらを低減可能になるという効果がある。
【発明を実施するための最良の形態】
【００１３】
本実施形態における発光装置１は、図１（ａ）に示すように、可視光（本実施形態では、青色光）を放射するＬＥＤチップ１１と、ＬＥＤチップ１１が実装された実装基板２０と、実装基板２０におけるＬＥＤチップ１１の実装面側において実装基板２０との間にＬＥＤチップ１１を囲む形で配設されたドーム状の光学部材４０と、光学部材４０と実装基板２０とで囲まれた空間でＬＥＤチップ１１を封止した封止樹脂からなる封止部５０とを備え、ＬＥＤチップ１１の一表面（光取り出し面）側に、ＬＥＤチップ１１から放射される可視光によって励起されてＬＥＤチップ１１よりも長波長の可視光を放射する蛍光体を含有した透光性材料からなる色変換層１２が形成されている。なお、本実施形態では、ＬＥＤチップ１１と色変換層１２とで発光素子１０を構成している。
【００１４】
本実施形態における発光装置１では、ＬＥＤチップ１１として、青色光を放射するＧａＮ系青色ＬＥＤチップを用い、色変換層１２の蛍光体として、ＬＥＤチップ１１から放射された青色光によって励起されて黄色光を放射する黄色蛍光体を採用しており、ＬＥＤチップ１１から放射され色変換層１２および封止部５０を透過した青色光と、色変換層１２の蛍光体である黄色蛍光体から放射され封止部５０を透過した黄色光とが光学部材４０の光入射面４０ａへ入射して光学部材４０の光出射面４０ｂから出射されることとなり、白色光を得ることができる。
【００１５】
ＬＥＤチップ１１は、図１（ｂ），（ｃ）に示すように、厚み方向の一表面側（図１（ａ），（ｂ）における上面側）に一方の電極１１ａが形成されるとともに、厚み方向の他表面側（図１（ａ），（ｂ）における上面側）に他方の電極１１ｂが形成されている。ここにおいて、各電極１１ａ，１１ｂは、下層側のＮｉ膜と上層側のＡｕ膜との積層膜により構成されている。なお、本実施形態では、ＬＥＤチップ１１として、側面からは青色光がほとんど放射されないものを用いている。
【００１６】
実装基板２０は、ＬＥＤチップ１１が一表面側に搭載される矩形板状のサブマウント部材３０と、熱伝導性材料により形成されサブマウント部材３０が一面側の中央部に固着される矩形板状の伝熱板２１と、伝熱板２１の一面側（図１（ａ）における上面側）に例えばポリオレフィン系の固着シート（図示せず）を介して固着される矩形板状のフレキシブルプリント配線板により形成され中央部にサブマウント部材３０を露出させる矩形状の窓孔２４を有する配線基板２２とで構成されている。したがって、ＬＥＤチップ１１で発生した熱が配線基板２２を介さずにサブマウント部材３０および伝熱板２１に伝熱されるようになっている。
【００１７】
上述の伝熱板２１は、Ｃｕからなる金属板２１ａを基礎とし、当該金属板２１ａの厚み方向の両面にＡｕ膜からなるコーティング膜２１ｂが形成されている。
【００１８】
一方、配線基板２２は、ポリイミドフィルムからなる絶縁性基材２２ａの一表面側に、ＬＥＤチップ１１への給電用の一対の配線パターン２３，２３が設けられるとともに、各配線パターン２３，２３および絶縁性基材２２ａにおいて配線パターン２３，２３が形成されていない部位を覆う白色系の樹脂からなるレジスト層２６が積層されている。ここにおいて、ＬＥＤチップ１１は、上記一方の電極１１ａがボンディングワイヤ１４を介して一方の配線パターン２３と電気的に接続され、上記他方の電極１１ｂがサブマウント部材３０の電極パターン３１およびボンディングワイヤ１４を介して他方の配線パターン２３と電気的に接続されている。なお、各配線パターン２３，２３は、絶縁性基材２２ａの外周形状の半分よりもやや小さな外周形状に形成されている。また、絶縁性基材２２ａの材料としては、ＦＲ４、ＦＲ５、紙フェノールなどを採用してもよい。
【００１９】
レジスト層２６は、配線基板２２の窓孔２４の近傍において各配線パターン２３，２３の一部が露出し、配線基板２２の周部において各配線パターン２３，２３の他の一部が露出するようにパターニングされており、各配線パターン２３，２３は、配線基板２２の窓孔２４近傍において露出した部位が、ボンディングワイヤ１４が接続される端子部２３ａを構成し、配線基板２２の周部において露出した円形状の部位が外部接続用電極部２３ｂを構成している。なお、配線基板２２の配線パターン２３，２３は、Ｃｕ膜とＮｉ膜とＡｕ膜との積層膜により構成され、最上層がＡｕ膜となっている。
【００２０】
また、サブマウント部材３０は、熱伝導率が比較的高く且つ電気絶縁性を有するＡｌＮにより形成されており、平面サイズをＬＥＤチップ１１のチップサイズよりも大きく設定してあり、伝熱板２１とＬＥＤチップ１１との線膨張率差に起因してＬＥＤチップ１１に働く応力を緩和する応力緩和機能と、ＬＥＤチップ１１で発生した熱を伝熱板２１においてＬＥＤチップ１１のチップサイズよりも広い範囲に伝熱させる熱伝導機能とを有している。したがって、本実施形態における発光装置１では、ＬＥＤチップ１１と伝熱板２１との線膨張率差に起因してＬＥＤチップ１１に働く応力を緩和することができるとともに、ＬＥＤチップ１１で発生した熱をサブマウント部材３０および伝熱板２１を介して効率良く放熱させることができる。
【００２１】
本実施形態では、サブマウント部材３０の材料として熱伝導率が比較的高く且つ絶縁性を有するＡｌＮを採用しているが、サブマウント部材３０の材料はＡｌＮに限らず、例えば、複合ＳｉＣなどを採用してもよい。また、サブマウント部材３０の一表面側には、ＬＥＤチップ１１におけるサブマウント部材３０側の上記他方の電極１１ｂと接合される上述の電極パターン３１が形成され、当該電極パターン３１の周囲に可視光を反射する反射膜３２が形成されている。したがって、ＬＥＤチップ１１から放射された可視光がサブマウント部材３０に吸収されるのを防止することができ、外部への光取出し効率をさらに高めることが可能となる。ここにおいて、電極パターン３１は、Ａｕを主成分とするＡｕとＳｎとの合金（例えば、８０Ａｕ−２０Ｓｎ、７０Ａｕ−３０Ｓｎなど）により形成されている。また、反射膜３２は、Ａｌにより形成されているが、Ａｌに限らず、Ａｇ、Ｎｉ、Ａｕなどにより形成してもよい。
【００２２】
また、本実施形態における発光装置１では、サブマウント部材３０の厚み寸法を、当該サブマウント部材３０の表面が配線基板２２のレジスト層２６の表面よりも伝熱板２１から離れるように設定してあり、ＬＥＤチップ１１や黄色蛍光体から放射された可視光が配線基板２２の窓孔２４の内周面を通して配線基板２２に吸収されるのを防止することができる。
【００２３】
上述の封止部５０の材料である封止樹脂としては、シリコーン樹脂を用いているが、シリコーン樹脂に限らず、例えばエポキシ樹脂などを用いてもよい。
【００２４】
光学部材４０は、透光性材料（例えば、シリコーン樹脂など）の成形品であってドーム状に形成されている。ここで、本実施形態では、光学部材４０をシリコーン樹脂により形成してあるので、光学部材４０と封止部５０との屈折率差および線膨張率差を小さくすることができる。なお、封止部５０の材料がエポキシ樹脂の場合には、光学部材４０もエポキシ樹脂により形成することが好ましい。
【００２５】
上述の色変換層１２は、蛍光体および透光性材料により形成されているが、本実施形態では、蛍光体として上述のように黄色蛍光体を採用し、透光性材料としてシリコーン樹脂を採用している。なお、色変換層１２の材料として用いる透光性材料は、シリコーン樹脂に限らず、例えば、アクリル樹脂などを採用してもよい。
【００２６】
以上説明した発光装置１では、ＬＥＤチップ１１から放射される青色光によって励起されて黄色光を放射する黄色蛍光体および透光性材料により形成された色変換層１２がＬＥＤチップ１１の上記一表面側に積層されていることにより、色変換層１２の黄色蛍光体で発生した熱をＬＥＤチップ１１を通して実装基板２０側へ放熱させることができるので、放熱性を向上できる。また、上述の発光装置１は、光学部材４０の光出射面４０ｂを球面の一部により構成してあり、光学部材４０と封止部５０とで構成されるレンズ部が半球状の形状となっているので、点光源として利用することができる。
【００２７】
次に、上述のＬＥＤチップ１１と色変換層１２とで構成される上述の発光素子１０について説明する。
【００２８】
本実施形態における発光素子１０は、ＬＥＤチップ１１の上記一表面側の電極１１ａが、当該ＬＥＤチップ１１の外周線の全周に沿った枠状に形成されており、当該枠状の電極１１ａに囲まれた領域１３において色変換層１２がＬＥＤチップ１１の上記一表面側に形成されている。
【００２９】
ここにおいて、発光素子１０の製造にあたっては、ＬＥＤチップ１０の上記一表面側において枠状の電極１１ａに囲まれた領域１３に蛍光体を含有した適量の透光性材料をディスペンサなどを用いて塗布することにより色変換層１２を形成すればよい。このような製造プロセスを採用すれば、上記特許文献１，２のようにインクジェット法により色変換層をＬＥＤチップ上に直接形成する場合に比べて、色変換層１２の表面の平坦性を向上でき、色変換層１２の薄膜化を図りつつ色むらを低減可能な発光素子１０を提供することができる。また、色変換層１２の厚み寸法を電極１１ａの厚み寸法によって規定することができるという利点がある。
【００３０】
しかして、本実施形態の発光素子１０では、ＬＥＤチップ１１の上記一表面側に当該ＬＥＤチップ１１の外周線の全周に沿った枠状の電極１１ａが形成され、当該枠状の電極１１ａに囲まれた領域において色変換層１２がＬＥＤチップ１１の上記一表面側に形成されているので、枠状の電極１１ａに囲まれた領域に蛍光体を含有した適量の透光性材料を塗布することにより色変換層１２を形成するような製造プロセスを採用することが可能となり、色変換層１２の薄膜化を図りつつ色変換層１２の表面荒れを抑制することができて色むらを低減可能になる。なお、色変換層１２の設計厚さの電極１１ａを形成するのが難しい場合には、電極１１ａ上に別部材の枠体を配設して枠状の電極１１ａと枠体とで構成される枠部で囲まれた領域に色変換層１２を形成するようにしてもよい。
【００３１】
また、図２，３に示すように、ＬＥＤチップ１１として、当該ＬＥＤチップ１１の一表面側において枠状の電極１１ａで囲まれた領域を複数（図示例では３つ）の小領域１３ａに等分割する仕切壁１１ｃが枠状の電極１１ａに連続一体に形成された構造を採用し、色変換層１２を、小領域１３ａごとにＬＥＤチップ１１の上記一表面側に形成するようにすれば、色変換層１２の表面荒れをより抑制することが可能になる。ここで、図２，３に示した例では、全ての小領域１３ａの容積が同じなので、蛍光体を含有した透光性材料の塗布量を全ての小領域１３ａで同じにすることができ、製造が容易になる。
【００３２】
なお、ＬＥＤチップ１１の発光色と色変換層１２における蛍光体の発光色との組み合わせは特に限定するものではなく、例えば、色変換層１２に用いる蛍光体は、黄色蛍光体に限らず、例えば、赤色蛍光体と緑色蛍光体とを併用すれば演色性の高い白色光を得ることができる。また、ＬＥＤチップ１１として、紫外光を放射するＬＥＤチップを採用して、蛍光体として、赤色蛍光体と緑色蛍光体と青色蛍光体とを併用するようにしても白色光を得ることができる。また、上述の発光装置１は、発光素子１０を１個だけ備えているが、複数個の発光素子１０を備えるようにしてもよく、この場合、発光素子１０ごとにサブマウント部材３０を設けてもよいし、複数個の発光素子１０を１個のサブマウント部材３０に搭載するようにしてもよい。
【図面の簡単な説明】
【００３３】
【図１】実施形態を示し、（ａ）は発光素子を用いた発光装置の概略断面図、（ｂ）はＬＥＤチップの概略平面図、（ｃ）はＬＥＤチップの概略斜視図である。
【図２】同上における発光素子の他の構成例を示し、（ａ）は概略平面図、（ｂ）は概略断面図である。
【図３】図２におけるＬＥＤチップを示し、（ａ）は概略平面図、（ｂ）は概略斜視図である。
【符号の説明】
【００３４】
１０  発光素子
１１  ＬＥＤチップ
１１ａ  電極
１１ｂ  電極
１１ｃ  仕切壁
１２  色変換層
１３  領域
１３ａ  小領域
【図１】
0005199623.tif 000002
【図２】
0005199623.tif 000003
【図３】
0005199623.tif 000004